(57)【要約】【課題】ネットワークを介して接続された複数の画像形成装置に対して共通の送信対象情報に基づく画像形成用データを同報送信する際に要する時間を短縮できるようにする。【解決手段】ＦＡＸ装置２Ａにおいて、他のＦＡＸ装置２Ｂ、２Ｃ、２Ｄの少なくとも１つのＦＡＸ装置２の処理能力情報を記憶するＥＥＰＲＯＭ７と、送信先のＦＡＸ装置２の指定を受け付ける受付部４ａと、送信先のＦＡＸ装置２の各々について、ＥＥＰＲＯＭ７から当該ＦＡＸ装置２の処理能力情報を検索する検索部４ｃと、検索部４ｃにより処理能力情報が検出された送信先のＦＡＸ装置に対して、検索された処理能力情報と自ＦＡＸ装置２Ａの処理能力とに基づいた態様のファクシミリデータを送信する機能制御部４ｄとを有するように構成する。【選択図】図２
2007195083.tif 000002
【特許請求の範囲】
【請求項１】
ネットワークを介して接続された複数の画像形成装置に対して共通の送信対象情報に基づく画像形成用データを同報送信する送信処理装置であって、
前記送信対象情報を記憶する送信対象情報記憶手段と、
前記画像形成装置の少なくとも１つの画像形成装置の処理能力情報を記憶する能力記憶手段と、
前記画像形成用データを送信する送信先の画像形成装置の指定を受け付ける送信先受付手段と、
前記送信先の画像形成装置の各々について、前記能力記憶手段から当該画像形成装置の前記処理能力情報を検索する検索手段と、
前記検索手段により前記処理能力情報が検出された前記送信先の画像形成装置に対して、検索された前記処理能力情報に基づいた態様の画像形成用データを送信する送信手段と
を有する送信処理装置。
【請求項２】
前記送信手段は、前記処理能力情報と自装置の処理能力とに基づいた態様の画像形成用データを送信することを特徴とする請求項１に記載の送信処理装置。
【請求項３】
前記処理能力情報は、ネットワークを介しての通信速度に関する処理能力情報を含み、
前記送信手段は、前記処理能力情報が示す通信速度内での通信により前記画像形成用データを送信することを特徴とする請求項１又は請求項２に記載の送信処理装置。
【請求項４】
前記送信手段により前記画像形成用データを送信した際に利用した通信設定情報を前記画像形成装置の宛先情報と対応付けて格納する送信設定記憶手段を更に備え、
前記送信手段は、前記送信先の画像形成装置の宛先情報と対応付けられている前記通信設定情報に基づいた設定によって前記画像形成用データを送信することを特徴とする請求項１乃至請求項３のいずれか一項に記載の送信処理装置。
【請求項５】
前記検索手段により前記送信先の画像形成装置の処理能力情報を検出できなかった場合に、当該画像形成装置に対して処理能力情報を要求する能力情報要求手段と、
前記画像形成装置からの処理能力情報を受信する要求処理能力情報受信手段と、
受信した前記処理能力情報を前記画像形成装置の宛先情報と対応付けて前記能力記憶手段に登録する要求能力情報登録手段とを更に備え、
前記送信手段は、受信した前記処理能力情報に応じた態様の画像形成用データを前記画像形成装置に送信する
ことを特徴とする請求項１乃至請求項４のいずれか一項に記載の送信処理装置。
【請求項６】
前記画像形成装置の宛先情報の登録を受け付ける宛先情報受付手段と、
前記宛先情報が示す前記画像形成装置の処理能力情報を、前記画像形成用データを送信する際以外の時点においてネットワークを介して外部より収集する事前能力情報収集手段と、
前記収集した処理能力情報を前記能力情報記憶手段に登録する事前能力情報登録手段とを更に有する請求項１乃至請求項４のいずれか一項に記載の送信処理装置。
【請求項７】
前記送信対象情報に基づいて、複数の前記画像形成装置のいずれかで処理可能な画像形成用データを生成するデータ生成手段と、
前記生成した画像形成用データを記憶する画像形成用データ記憶手段とを有し、
前記送信手段は、前記画像形成用データ記憶手段から送信すべき態様の画像形成用データを取得して送信することを特徴とする請求項１乃至請求項６のいずれか一項に記載の送信処理装置。
【請求項８】
前記データ生成手段は、前記検索手段によって検出された前記処理能力情報に基づいた態様のみの画像形成用データを生成することを特徴とする請求項７に記載の送信処理装置。
【請求項９】
ネットワークを介して接続された複数の画像形成装置と、前記複数の画像形成装置の少なくともいずれか２つの画像形成装置に対して共通の送信対象情報に基づく画像形成用データを同報送信する送信処理装置とを有する送信システムであって、
前記送信処理装置は、
前記送信対象情報を記憶する送信対象情報記憶手段と、
前記画像形成装置の少なくとも１つの画像形成装置の処理能力情報を記憶する能力記憶手段と、
前記画像形成用データを送信する送信先の画像形成装置の指定を受け付ける送信先受付手段と、
前記送信先の画像形成装置の各々について、前記能力記憶手段から当該画像形成装置の前記処理能力情報を検索する検索手段と、
前記検索手段により前記処理能力情報が検出された前記送信先の画像形成装置に対して、前記検索手段により検索された前記処理能力情報に基づいた態様の画像形成用データを送信する送信手段と
を有し、
前記画像形成装置は、
前記画像形成用データを受信する画像形成用データ受信手段と、
前記画像形成用データに基づいて画像形成媒体に画像を形成する画像形成手段と
を有する
ことを特徴とする送信システム。
【請求項１０】
ネットワークを介して接続された複数の画像形成装置に対して共通の送信対象情報に基づく画像形成用データを同報送信する送信処理装置による送信処理方法であって、
前記送信処理装置は、
前記送信対象情報を記憶する送信対象情報記憶手段と、
前記画像形成装置の少なくとも１つの画像形成装置の処理能力情報を記憶する能力記憶手段とを有しており、
前記画像形成用データを送信する送信先の画像形成装置の指定を受け付ける送信先受付ステップと、
前記送信先の画像形成装置の各々について、前記能力記憶手段から当該画像形成装置の前記処理能力情報を検索する検索ステップと、
前記検索ステップにおいて前記処理能力情報が検出された前記送信先の画像形成装置に対して、検索された前記処理能力情報に基づいた態様の画像形成用データを送信する送信ステップと
を有する送信処理方法。
【発明の詳細な説明】
【技術分野】
【０００１】
本発明は、ネットワークを介して接続された複数の画像形成装置に対して共通の送信対象情報に基づく画像形成用データを同報送信する送信処理装置等に関する。
【背景技術】
【０００２】
従来、送信処理装置の一例としてのファクシミリ装置において、送信先となるファクシミリ装置のＦＡＸ番号を指定し、送信対象となる文書等の画像を読み取らせることによって、公衆回線網に接続された他のファクシミリ装置（画像形成装置の一例）に対して画像データを送信させることができ、送信先のファクシミリ装置では、画像データに基づいて画像形成媒体に送信対象の文書の画像を形成させることができるようになっている。
このようなファクシミリ装置においては、同一の送信対象の文書等を複数のファクシミリ装置宛に送信する、いわゆる同報送信機能が備えられており、この同報送信機能によると、予め複数の送信先のファクシミリ装置を指定しておけば、同一の内容の送信対象の文書の画像が複数の送信先のファクシミリ装置で形成される。
このような同報送信機能を有するファクシミリ装置においては、例えば、本文を共通とし、送信先毎に個別の宛名を付加した文書を送信するものも知られている（例えば、特許文献１）。
【特許文献１】特開平６−１５２９１７号公報
【発明の開示】
【発明が解決しようとする課題】
【０００３】
例えば、ファクシミリ装置において、同報送信する場合には、ユーザが予め複数の送信先を指定しておくことにより、ユーザが送信先毎に操作する必要がなく、手間を軽減することができる。
しかしながら、この場合においては、ファクシミリ装置は、一の宛先のファクシミリ装置との間でファクシミリ送信における記録紙サイズ、通信速度、解像度等のネゴシエーションを取り、そのネゴシエーションに従って画像データを生成して送信するという個別のファクシミリ装置に対する送信処理を、宛先として指定された複数のファクシミリ装置のそれぞれに対して繰り返して実行することが行われている。このため、同報送信が終了するまでに、長時間を要してしまうという問題が生じていた。
本発明は、上記課題に鑑みなされたものであり、その目的は、ネットワークを介して接続された複数の画像形成装置に対して共通の送信対象情報に基づく画像形成用データを同報送信する際に要する時間を短縮することのできる技術を提供することにある。
【課題を解決するための手段】
【０００４】
上記目的達成のため、本発明の一実施形態に係る送信処理装置は、ネットワークを介して接続された複数の画像形成装置に対して共通の送信対象情報に基づく画像形成用データを同報送信する送信処理装置であって、送信対象情報を記憶する送信対象情報記憶手段と、画像形成装置の少なくとも１つの画像形成装置の処理能力情報を記憶する能力記憶手段と、画像形成用データを送信する送信先の画像形成装置の指定を受け付ける送信先受付手段と、送信先の画像形成装置の各々について、能力記憶手段から当該画像形成装置の処理能力情報を検索する検索手段と、検索手段により処理能力情報が検出された送信先の画像形成装置に対して、検索された処理能力情報に基づいた態様の画像形成用データを送信する送信手段とを有する。
【０００５】
かかる構成によると、画像形成用データを送信する時点において送信先の画像形成装置から処理能力情報を通信により取得する処理を削減でき、当該画像形成装置の処理能力情報に基づいた態様の画像形成用データを迅速且つ適切に送信することができる。
【０００６】
上記送信処理装置において、送信手段は、処理能力情報と自装置の処理能力とに基づいた態様の画像形成用データを送信するようにしてもよい。かかる構成によると、送信処理装置の能力に応じた画像形成用データを送信することができる。また、上記送信処理装置において、処理能力情報は、ネットワークを介しての通信速度に関する処理能力情報を含み、送信手段は、処理能力情報が示す通信速度内での通信により画像形成用データを送信するようにしてもよい。
かかる構成によると、送信処理装置と送信先の画像形成装置との間で適切な通信速度により画像形成用データを送信することができる。
【０００７】
また、上記送信処理装置において、送信手段により画像形成用データを送信した際に利用した通信設定情報を画像形成装置の宛先情報と対応付けて格納する送信設定記憶手段を更に備え、送信手段は、送信先の画像形成装置の宛先情報と対応付けられている通信設定情報に基づいた設定によって画像形成用データを送信するようにしてもよい。
かかる構成によると、過去に画像形成用データを送信した際の通信設定情報に基づいた設定によって画像形成用データを送信するので、送信先の画像形成装置との通信を迅速且つ適切に行うことのできる可能性を高くすることができる。
【０００８】
また、上記送信処理装置において、検索手段により送信先の画像形成装置の処理能力情報を検出できなかった場合に、当該画像形成装置に対して処理能力情報を要求する能力情報要求手段と、画像形成装置からの処理能力情報を受信する要求処理能力情報受信手段と、受信した処理能力情報を画像形成装置の宛先情報と対応付けて能力記憶手段に登録する要求能力情報登録手段とを更に備え、送信手段は、受信した処理能力情報に応じた態様の画像形成用データを前記画像形成装置に送信するようにしてもよい。
かかる構成によると、処理能力情報が記憶されていない画像形成装置に対しても、適切に画像形成用データを送信することができる。
【０００９】
また、上記送信処理装置において、画像形成装置の宛先情報を受け付ける宛先情報受付手段と、宛先情報が示す画像形成装置の処理能力情報を、画像形成用データを送信する際以外の時点において、ネットワークを介して外部より収集する事前能力情報収集手段と、収集した処理能力情報を能力情報記憶手段に登録する事前能力情報登録手段とを更に有するようにしてもよい。
かかる構成によると、画像形成用データを送信する際以外の時点において、処理能力情報を収集することができ、画像形成用データを送信する際における送信時間を短縮することができる。
【００１０】
また、上記送信処理装置において、送信対象情報に基づいて、複数の画像形成装置のいずれかで処理可能な画像形成用データを生成するデータ生成手段と、生成した画像形成用データを記憶する画像形成用データ記憶手段とを有し、送信手段は、画像形成用データ記憶手段から送信すべき態様の画像形成用データを取得して送信するようにしてもよい。
かかる構成によると、送信手段は、画像形成用データ記憶手段から画像形成用データを取得して送信するようにしているので、送信する毎にそれぞれの画像形成装置で処理可能な画像形成用データを生成することなく、迅速に画像形成用データを送信することができる。
【００１１】
また、上記送信処理装置において、データ生成手段は、検索手段によって検出された処理能力情報に基づいた態様のみの画像形成用データを生成するようにしてもよい。かかる構成によると、確実に送信する画像形成用データのみ生成するので、処理効率を向上することができる。
【００１２】
上記目的達成のため、本発明の一実施形態に係る送信システムは、ネットワークを介して接続された複数の画像形成装置と、複数の画像形成装置の少なくともいずれか２つの画像形成装置に対して共通の送信対象情報に基づく画像形成用データを同報送信する送信処理装置とを有する送信システムであって、送信処理装置は、送信対象情報を記憶する送信対象情報記憶手段と、画像形成装置の少なくとも１つの画像形成装置の処理能力情報を記憶する能力記憶手段と、画像形成用データを送信する送信先の画像形成装置の指定を受け付ける送信先受付手段と、送信先の画像形成装置の各々について、能力記憶手段から当該画像形成装置の処理能力情報を検索する検索手段と、検索手段により処理能力情報が検出された送信先の画像形成装置に対して、検索手段により検索された処理能力情報に基づいた態様の画像形成用データを送信する送信手段とを有し、画像形成装置は、画像形成用データを受信する画像形成用データ受信手段と、画像形成用データに基づいて画像形成媒体に画像を形成する画像形成手段とを有することを特徴とする。
【００１３】
かかる構成によると、画像形成用データを送信する時点において送信先の画像形成装置から処理能力情報を取得することなく、当該画像形成装置の処理能力情報に基づいた態様の画像形成用データを迅速且つ適切に送信することができる。
【００１４】
また、上記目的達成のため、本発明の一実施形態に係る送信処理方法は、ネットワークを介して接続された複数の画像形成装置に対して共通の送信対象情報に基づく画像形成用データを同報送信する送信処理装置による送信処理方法であって、送信処理装置は、送信対象情報を記憶する送信対象情報記憶手段と、画像形成装置の少なくとも１つの画像形成装置の処理能力情報を記憶する能力記憶手段とを有しており、画像形成用データを送信する送信先の画像形成装置の指定を受け付ける送信先受付ステップと、送信先の画像形成装置の各々について、能力記憶手段から当該画像形成装置の処理能力情報を検索する検索ステップと、検索ステップにおいて処理能力情報が検出された送信先の画像形成装置に対して、検索された処理能力情報に基づいた態様の画像形成用データを送信する送信ステップとを有する。
【００１５】
かかる方法によると、画像形成用データを送信する時点において送信先の画像形成装置から処理能力情報を取得することなく、当該画像形成装置の処理能力情報に基づいた態様の画像形成用データを迅速且つ適切に送信することができる。
【発明を実施するための最良の形態】
【００１６】
本発明の実施形態について、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００１７】
図１は、本発明の第１実施形態に係る送信システムの構成を説明する図である。
送信システム１は、送信処理装置の一例であるとともに、画像形成装置の一例であるファクシミリ装置（ＦＡＸ装置）２Ａ、２Ｂ、２Ｃ、及び２Ｄを有する。各ＦＡＸ装置２Ａ、２Ｂ、２Ｃ、２Ｄは、ネットワークの一例としての公衆回線網３に接続され、お互いに公衆回線網３を介して通信可能になっている。
【００１８】
図２は、本発明の第１実施形態に係るＦＡＸ装置の構成を説明する図である。なお、本実施形態に係るＦＡＸ装置２Ａ、２Ｂ、２Ｃ、２Ｄは、能力に違いがある部分もあるが、ほぼ同様な機能を有しているので、ここでは、それらを総称してＦＡＸ装置２として説明することとする。なお、個別のＦＡＸ装置を示す場合には、ＦＡＸ装置２Ａ、２Ｂ、２Ｃ、２Ｄのいずれかで示すこととする。
【００１９】
ＦＡＸ装置２において、ＣＰＵ（Central Processing Unit）４と、ＲＯＭ（Read Only Memory）５と、送信対象情報記憶手段及び画像形成用データ記憶手段の一例としてのＲＡＭ（Random Access Memory）６と、能力記憶手段及び送信設定記憶手段の一例としてのＥＥＰＲＯＭ（Electrically Erasable Programmable Read-Only Memory）７と、入力インターフェース部（入力Ｉ／Ｆ部）８と、表示処理部９と、スキャナ機能部１０と、画像形成手段の一例としてのプリンタ機能部１１と、ＦＡＸ通信機能部１２とがバス１３を介して接続されている。
【００２０】
ＲＯＭ５は、ブートプログラム等のプログラムや、後述する登録時処理、送信時処理、受信時処理のプログラムを記憶する。
ＲＡＭ６は、プログラムやデータを記憶する領域として、或いは、ＣＰＵ４による処理に使用しているデータを格納する作業領域として利用される。本実施形態では、ＲＡＭ４は、後述するスキャナ機能部１０により取り込まれた送信対象原稿の画像データ（送信対象情報の一例）や、後述する画像形成用データの一例としてのファクシミリデータを記憶する。
【００２１】
ＥＥＰＲＯＭ７は、書き換え可能な不揮発性メモリであり、ＦＡＸ装置２の電源が入っていない場合でも記憶しておく必要がある各種情報を記憶する。
本実施形態においては、ＥＥＰＲＯＭ７は、自装置におけるＦＡＸ送受信に関する処理能力情報を格納する自己処理能力情報テーブル２１と、他のＦＡＸ装置のＦＡＸ送受信に関する処理能力情報、実際にＦＡＸ送信を行った際の設定を示す使用通信設定情報等の各種情報を格納する他装置情報テーブル２２とを記憶する。
【００２２】
図３は、本発明の第１実施形態に係るＦＡＸ装置に記憶された自己処理能力情報テーブルと、他装置情報テーブルとを説明する図である。
図３（１）は、ＦＡＸ装置２Ａにおける自己処理能力情報テーブル２１の一例を示し、図３（２）は、ＦＡＸ装置２Ａにおける他装置情報テーブル２２の一例を示す。
自己処理能力情報テーブル２１は、図３（１）に示すように、データ通信速度フィールド２１ａと、二元符号化能力フィールド２１ｂと、記録幅能力フィールド２１ｃと、最大記録長フィールド２１ｄと、誤り訂正モードフィールド２１ｅと、解像度フィールド２１ｆとを有する。
【００２３】
データ通信速度フィールド２１ａは、自装置においてファクシミリ送信する際に可能な通信速度の情報を格納する。本実施形態では、通信速度の情報として、ＩＴＵ−Ｔ（International Telecommunication Union Telecommunication standardization sector）勧告の規格に相当する情報、例えば、Ｖ．２７ｔｅｒ、Ｖ．２９、Ｖ．３３等を格納する。
二次元符号化能力フィールド２１ｂは、自装置において、例えば、ＭＲ（Modified Read）圧縮方式等の二次元符号化を処理する能力を有しているか否かの情報を格納する。
記録幅能力フィールド２１ｃは、自装置において記録可能な用紙幅を示す情報を格納する。
最大記録長フィールド２１ｄは、自装置において記録可能な用紙長を示す情報を格納する。
誤り訂正モードフィールド２１ｅは、自装置において所定の誤り訂正を行うモードを有しているか否かの情報を格納する。
解像度フィールド２１ｆは、自装置において読取及び画像形成可能な解像度の情報を格納する。
【００２４】
例えば、図３（１）に示すテーブルは、Ｖ．２７ｔｅｒ、Ｖ．２９、Ｖ．３３の規格に従った通信速度による通信が可能であり、二次元符号化能力を有しており、303mm、255mm、215mmの用紙幅の記録が可能であり、Ａ４、Ｂ４のサイズの用紙長の記録が可能であり、誤り訂正を行うモードを有しており、400×400画素/25.4mm、R16×15.4ライン/mm、300×300画素／25.4mmの解像度による読取及び画像形成が可能であることを示している。
【００２５】
他装置情報テーブル２２は、図３（２）に示すように、名称フィールド２３と、ＦＡＸ番号フィールド２４と、処理能力情報フィールド２５と、使用通信設定フィールド２６とを有するレコードを複数管理できるようになっている。
名称フィールド２３は、該当するレコードの示すＦＡＸ装置の名称を格納する。
ＦＡＸ番号フィールド２４は、該当するレコードが示すＦＡＸ装置の宛先情報の一例であるＦＡＸ番号を格納する。
処理能力情報フィールド２５は、該当するレコードの示すＦＡＸ装置のＦＡＸ送受信に関する処理能力情報を格納する。
【００２６】
処理能力情報フィールド２５は、データ通信速度フィールド２５ａと、二次元符号化能力フィールド２５ｂと、記録幅能力フィールド２５ｃと、最大記録長フィールド２５ｄと、誤り訂正モードフィールド２５ｅと、解像度フィールド２５ｆとを有する。
データ通信速度フィールド２５ａは、該当するレコードが示すＦＡＸ装置において通信可能な通信速度の情報を格納する。本実施形態では、通信速度の情報として、ＩＴＵ−Ｔ勧告の規格情報、例えば、Ｖ．２７ｔｅｒ、Ｖ．２９、Ｖ．３３等を格納する。
二次元符号化能力フィールド２５ｂは、該当するレコードが示すＦＡＸ装置において、例えば、ＭＲ圧縮方式等の二次元符号化を処理する能力を有しているか否かの情報を格納する。
記録幅能力フィールド２５ｃは、該当するレコードが示すＦＡＸ装置において記録可能な用紙幅を示す情報を格納する。
最大記録長フィールド２５ｄは、該当するレコードが示すＦＡＸ装置において記録可能な用紙長を示す情報を格納する。
誤り訂正モードフィールド２５ｅは、該当するレコードが示すＦＡＸ装置において所定の誤り訂正を行うモードを有しているか否かの情報を格納する。
解像度フィールド２５ｆは、該当するレコードが示すＦＡＸ装置において画像形成可能な解像度の情報を格納する。
【００２７】
使用通信設定フィールド２６は、実際にＦＡＸ送信を行った際の設定を示す使用通信設定情報を格納する。本実施形態では、使用通信設定フィールド２６は、使用通信速度フィールド２６ａを有しており、実際にＦＡＸ送信を行った際の通信速度の情報を格納する。本実施形態では、ＩＴＵ−Ｔ勧告の規格情報と、通信速度とを格納する。
【００２８】
図３（２）に示す一番上のレコードは、例えば、ＦＡＸ装置２Ｂの情報を示しており、名称が”Ｂ社”であり、ＦＡＸ番号が”XX-XXXX-0002”であり、Ｖ．２７ｔｅｒ、Ｖ．２９、Ｖ．３３の規格に従った通信速度による通信が可能であり、二次元符号化能力を有しており、303mm、255mm、215mmの用紙幅の記録が可能であり、Ａ４、Ｂ４のサイズの用紙長の記録が可能であり、誤り訂正を行うモードを有しており、400×400画素/25.4mm、R16×15.4ライン/mm、300×300画素／25.4mmの解像度による画像形成が可能であり、Ｖ．３３の規格による12000bit/sの通信速度での通信を行ったことを示している。
【００２９】
また、図３（２）に示す上から２番目のレコードは、例えば、ＦＡＸ装置２Ｃの情報を示しており、名称が”Ｃ社”であり、ＦＡＸ番号が”XXXX-XX-0055”であり、Ｖ．２７ｔｅｒ、Ｖ．２９の規格に従った通信速度による通信が可能であり、二次元符号化能力を有しておらず、215mmの用紙幅の記録が可能であり、Ａ４のサイズの用紙長の記録が可能であり、誤り訂正を行うモードを有しておらず、300×300画素／25.4mmの解像度による画像形成が可能であり、過去に通信した通信速度の情報が格納されていないことを示している。
また、図３（２）に示す上から３番目のレコードは、例えば、ＦＡＸ装置２Ｄの情報を示しており、名称が”Ｄ社”であり、ＦＡＸ番号が”XXXX-XX-9732”であり、処理能力情報が格納されておらず、また、使用通信速度の情報も格納されていないことを示している。
【００３０】
図２に戻り、入力Ｉ／Ｆ部８は、各種ボタンが備えられた入力装置１４と接続されている。入力Ｉ／Ｆ部８は、入力装置１４からの信号をデータとして、ＣＰＵ４に出力する。
表示処理部９は、例えば、ＶＲＡＭ（Video Random Access Memory）を有し、ＣＰＵ４の制御により、液晶表示装置（ＬＣＤ）１５に各種情報を表示出力する。
スキャナ機能部１０は、原稿台（図示せず）又は、原稿フィーダ（図示せず）に載置された紙等の送信対象原稿の画像を読み取って、送信対象情報の一例としてのデジタル画像データを生成する。デジタル画像データとしては、例えば、ビットマップ形式の画像データであってもよい。
プリンタ機能部１１は、紙、ＯＨＰシート等の画像形成媒体（用紙ともいう）に画像形成を行う。
ＦＡＸ通信機能部１２は、公衆回線網３を介してＦＡＸ送受信における各種データを送受信する。
【００３１】
ＣＰＵ４は、各部５〜１２の動作を制御する。また、ＣＰＵ４は、ＲＯＭ５に格納されているプログラムをＲＡＭ６に読み出して実行することにより、送信先受付手段の一例としての受付部４ａと、データ生成手段の一例としてのデータ生成部４ｂと、検索手段の一例としての検索部４ｃと、送信手段、能力情報要求手段、要求処理能力情報受信手段、要求能力情報登録手段、及び画像形成用データ受信手段の一例としての機能制御部４ｄとを構成して各種処理を実行する。
【００３２】
受付部４ａは、入力装置１４を利用してのユーザからの各種入力を受け付ける。本実施形態では、受付部４ａは、宛先として登録するＦＡＸ装置の名称、ＦＡＸ番号、処理能力情報等の入力を受け付ける。また、受付部４ａは、送信対象の画像を送信させる送信先となるＦＡＸ装置の指定を受け付け、当該指定されたＦＡＸ装置のＦＡＸ番号を機能制御部４ｄに通知する。本実施形態においては、受付部４ａは、同一の送信対象を送信させる送信先として複数のＦＡＸ装置の指定を受け付けることができるようになっている。ＦＡＸ装置の指定を受け付ける方法としては、入力装置１４によりＦＡＸ番号を直接入力させることにより受け付けるようにしてもよく、或いは、他装置情報テーブル２２に基づいてＦＡＸ装置の利用者の名称をＬＣＤ１５に表示させ、その中から入力装置１４によって選択指定させることにより受け付けるようにしてもよい。
【００３３】
データ生成部４ｂは、機能制御部４ｄから受け取ったＦＡＸ番号のＦＡＸ装置についての処理能力情報を検索部４ｃにより検索させる。また、データ生成部４ｂは、検索部４ｃにより検出できた処理能力情報と、ＥＥＰＲＯＭ７に記憶された自己の能力情報とに基づいて、送信側のＦＡＸ装置２と送信先のＦＡＸ装置２との双方が処理可能な能力情報を、当該ＦＡＸ装置との通信に使用する能力情報（使用能力情報）として決定する。
また、データ生成部４ｂは、使用能力情報に基づいて、スキャナ機能部１０により取り込まれたデジタル画像データから、送信側と送信先との双方が処理可能な態様の画像形成用データの一例としてのファクシミリ用の画像データ（ファクシミリデータ）を生成して、当該ファクシミリデータと使用能力情報と対応付けてＲＡＭ６に格納する。
【００３４】
本実施形態では、データ生成部４ｂは、自装置の能力範囲内であって、他装置の処理能力情報に含まれている記録幅と記録長とにより規定される用紙サイズであり、且つ処理能力情報に含まれる解像度を通信における使用能力情報として決定し、当該能力に合致するファクシミリデータを生成する。さらに、データ生成部４ｂは、自装置が誤り訂正モードを有し、且つ他装置の処理能力情報に誤り訂正モードを有している情報が含まれていれば、誤り訂正モードを使用能力情報として決定し、誤り訂正符号を生成してファクシミリデータに付加する。
【００３５】
さらに、データ生成部４ｂは、自装置が二次元符号化能力を有し、且つ送信先のＦＡＸ装置の処理能力情報に二次元符号化能力を有している情報が含まれている場合には、二次元符号化による圧縮を使用能力情報として決定し、当該二次元符号化による圧縮を行ったファクシミリデータを生成し、いずれか一方に二次元符号化能力が含まれていない場合には、例えば、ＭＨ（Modified Huffman）圧縮方式等の一次元符号化による圧縮を使用能力情報として決定し、当該一次元符号化による圧縮を行ったファクシミリデータを生成する。
なお、本実施形態では、データ生成部４ｂは、同一の使用能力情報に対しては、１つのファクシミリデータのみを生成してＲＡＭ６に格納するようにしている。これによって、同一のデータを重複して複数生成することを防止でき、同一のデータによってＲＡＭ６が使用されることも適切に防止することができる。
【００３６】
検索部４ｃは、データ生成部４ｂから通知されたＦＡＸ装置についてのレコードの処理能力情報を他装置情報テーブル２２から検索し、その検索結果をデータ生成部４ｂに通知する。本実施形態では、検索部４ｃは、レコードを検出できた場合には、処理能力情報をデータ生成部４ｂに通知する。
また、検索部４ｃは、機能制御部４ｄから通知されたＦＡＸ番号に対応するレコードを他装置情報テーブル２２から検索し、その検索結果を機能制御部４ｄに通知する。本実施形態では、検索部４ｃは、レコードを検出できた場合には、処理能力情報及び使用通信設定を機能制御部４ｄに通知し、レコードを検出できなかった場合には、その旨を機能制御部４ｄに通知する。
【００３７】
機能制御部４ｄは、スキャナ機能部１０、プリンタ機能部１１、ＦＡＸ通信機能部１２の制御を行う。具体的には、機能制御部４ｄは、スキャナ機能部１０に原稿の読取動作を実行させる。また、機能制御部４ｄは、プリンタ機能部１１に画像形成動作を実行させる。また、ＦＡＸ通信機能部１２にファクシミリ通信動作を実行させる。
また、機能制御部４ｄは、受付部４ａから送信先のＦＡＸ装置２のＦＡＸ番号の通知を受け付けると、スキャナ機能部１０を動作させて、原稿台又は、原稿フィーダに載置された送信対象原稿の画像を読み取り、デジタル画像データを生成して、ＲＡＭ６に格納する。
また、機能制御部４ｄは、受付部４ａから送信先のＦＡＸ装置２のＦＡＸ番号の通知を受け付けると、当該ＦＡＸ装置２のＦＡＸ番号をデータ生成部４ｂに通知する。
【００３８】
また、機能制御部４ｄは、受付部４ａから受け取った各送信先のＦＡＸ装置２のＦＡＸ番号に対応するレコードの検索を検索部４ｃに要求し、検索部４ｃから処理能力情報及び使用通信設定の通知を受け取った場合には、処理能力情報と、自装置の能力情報とに基づいて、自装置と送信先のＦＡＸ装置２との双方が処理可能な能力情報を通信に使用する能力情報（使用能力情報）として決定し、当該使用能力情報に対応付けられたファクシミリデータをＲＡＭ６から取得し、ＦＡＸ通信機能部１２により、使用通信設定に基づいた規格及び通信速度によりファクシミリデータの通信を実行させる。
【００３９】
また、機能制御部４ｄは、検索部４ｃから検出できなかった旨の通知を受け取った場合には、ＦＡＸ通信機能部１２により、送信先のＦＡＸ装置２に処理能力情報を要求して受信し、その処理能力情報と自装置の能力情報とに基づいて通信に使用する使用能力情報を決定し、当該使用能力情報に対応するファクシミリデータをＲＡＭ６から取得し、或いは、生成して、ＦＡＸ通信機能部１２により、送信先のＦＡＸ装置２との間でファクシミリデータの通信を実行させる。
また、機能制御部４ｄは、ファクシミリデータの通信を完了した場合には、通信時に使用した通信設定を他装置情報テーブル２２の使用通信設定フィールド２６に格納する。
【００４０】
図４は、本発明の第１実施形態に係るＦＡＸ装置の登録時処理のフローチャートである。
この登録時処理は、ＦＡＸ装置２において、入力装置１４によるユーザの操作によって新たなＦＡＸ装置の登録指示があった場合に開始される。
ＦＡＸ装置２において、受付部４ａが、入力装置１４によるユーザの操作によって、登録するＦＡＸ装置２に対して設定する名称を受け付けたか否かを判定し（ステップＳ１１）、設定する名称を受け付けた場合には、受け付けた名称をＲＡＭ６に記憶する（ステップＳ１２）一方、受け付けていない場合には、次の処理に進む。
【００４１】
次いで、受付部４ａが、入力装置１４によるユーザの操作によって、登録するＦＡＸ装置のＦＡＸ番号を受け付けたか否かを判定し（ステップＳ１３）、ＦＡＸ番号を受け付けた場合には、受け付けたＦＡＸ番号をＲＡＭ６に記憶する（ステップＳ１４）一方、受け付けていない場合には、次の処理に進む。
更に、受付部４ａが、入力装置１４によるユーザの操作によって、登録するＦＡＸ装置の処理能力情報の設定を受け付けたか否かを判定し（ステップＳ１５）、処理能力情報を受け付けた場合には、受け付けた処理能力情報をＲＡＭ６に記憶する（ステップＳ１６）一方、受け付けていない場合には、次の処理に進む。
【００４２】
次いで、受付部４ａが、入力装置１４によるユーザの操作によって、登録を確定させる指示を受け付けたか否かを判定し（ステップＳ１７）、確定指示を受け付けた場合には、ＲＡＭ６に記憶されている名称、ＦＡＸ番号、及び処理能力情報のうち設定されている情報をＥＥＰＲＯＭ７の他装置情報テーブル２２に新たなレコードとして登録して処理を終了する（ステップＳ１８）。なお、本実施形態では、名称及びＦＡＸ番号は設定することが必須となっており、処理能力情報については、設定するか否かは任意となっている。
一方、確定指示を受け付けていない場合（ステップＳ１７のＮＯ）には、更に受付部４ａが終了指示を受け付けたか否かを判定する（ステップＳ１９）。この結果、終了指示を受け付けていない場合には、上記処理（ステップＳ１１〜Ｓ１７）を繰り返し実行する一方、終了指示を受け付けた場合には、処理を終了する。
【００４３】
図５は、本発明の第１実施形態に係るＦＡＸ装置の送信時処理のフローチャートである。
ＦＡＸ装置２において、受付部４ａが、入力装置１４によるユーザの操作によって、送信先のＦＡＸ装置２の指定を受け付けたか否かを判定し（ステップＳ２１）、送信先の指定を受け付けた場合には、受け付けた送信先のＦＡＸ装置２のＦＡＸ番号をＲＡＭ６に記憶する（ステップＳ２２）一方、受け付けていない場合には、次の処理に進む。
次いで、受付部４ａが、入力装置１４によるユーザの操作によって、送信先のＦＡＸ装置の指定を終了する指示を受け付けたか否かを判定し（ステップＳ２３）、終了の指示を受け付けていない場合には、上記したステップＳ２１〜ステップＳ２３を繰り返し実行して、複数の送信先となるＦＡＸ装置２の指定を受け付ける。
一方、終了する指示を受け付けた場合には（ステップＳ２３のＹＥＳ）、受付部４ａは、ＲＡＭ６に記憶したＦＡＸ装置２のＦＡＸ番号を機能制御部４ｄに通知し、通知を受けた機能制御部４ｄがスキャナ機能部１０を動作させて、原稿台又は、原稿フィーダに載置された送信対象原稿の画像を読み取り、デジタル画像データを生成して、ＲＡＭ６に格納する（ステップＳ２４）。
【００４４】
更に、機能制御部４ｄは、通知されたＦＡＸ番号をデータ生成部４ｂに通知する。データ生成部４ｂは、その中から未処理のＦＡＸ番号を取り出し（ステップＳ２５）、当該ＦＡＸ番号に対応するレコードの処理能力情報を検索部４ｃにより検索させ、処理能力情報が検出されたか否かを判定する（ステップＳ２６）。
この結果、処理能力情報が検出された場合には、データ生成部４ｂは、当該処理能力情報と、ＥＥＰＲＯＭ７に格納された自己処理能力情報テーブル２１に格納されている能力情報とに基づいて、使用能力情報を決定し（ステップＳ２７）、当該使用能力情報をＲＡＭ６に記憶する（ステップＳ２８）。なお、同一の使用能力情報がすでに記憶されている場合には、ＲＡＭ６への記憶は行わない。一方、処理能力情報が検出されなかった場合（ステップＳ２６のＮＯ）には、何もせずにステップＳ２９に進む。
次いで、データ生成部４ｂは、通知されたすべての送信先のＦＡＸ番号についての処理を終了したか否かを判定し（ステップＳ２９）、終了していない場合には、未処理のＦＡＸ番号について上記ステップＳ２５〜ステップＳ２９までの処理を繰り返し実行する。
【００４５】
一方、すべての送信先のＦＡＸ番号についての処理を終了した場合（ステップＳ２９のＹＥＳ）には、データ生成部４ｂは、ＲＡＭ６に記憶された各使用能力情報に基づいて、ＲＡＭ６に記憶されたデジタル画像データから、自装置及び各ＦＡＸ装置で処理可能な態様のファクシミリデータを生成し、生成した各ファクシミリデータを使用能力情報と対応付けてＲＡＭ６に記憶させる（ステップＳ３０）。
【００４６】
次いで、機能制御部４ｄが通知されたＦＡＸ番号から未処理のＦＡＸ番号のひとつを特定し（ステップＳ３１）、検索部４ｃに当該ＦＡＸ番号に対応するレコードを検索させ、処理能力情報が含まれているレコードが検出された否かを判定する（ステップＳ３２）。
その結果、検索部４ｃにより処理能力情報が含まれたレコードが検出された場合には、機能制御部４ｄが、検索部４ｃから検出された処理能力情報と使用通信設定とを取得し（ステップＳ３３）、処理能力情報と、自装置の能力情報とに基づいて、使用能力情報を決定し（ステップＳ３４）、さらに、ＲＡＭ６から当該使用能力情報に対応するファクシミリデータを取得する（ステップＳ３５）。
【００４７】
その後、機能制御部４ｄが、ＦＡＸ通信機能部１２によりＦＡＸ番号による発呼を行わせ（ステップＳ３６）、当該ＦＡＸ装置２との間での通信における使用能力情報を指定する指定する信号（能力指定信号）を送信する（ステップＳ３７）。ここで、本実施形態では、使用通信設定における規格及び通信速度を使用能力情報に含めた能力指定信号を送信する。なお、能力指定信号としては、例えば、ＩＴＵ−Ｔ勧告Ｔ．３０におけるＤＣＳ（デジタル命令信号）を用いることができる。
【００４８】
次いで、機能制御部４ｄは、ＦＡＸ通信機能部１２によりファクシミリデータの送信処理を行う（ステップＳ３８）。本実施形態では、送信処理においては、使用通信設定として記憶されている通信速度、規格に従って通信が行われる。この送信処理における通信速度は、以前に使用した通信速度であるので、送信先のＦＡＸ装置との間における通信で通信速度を変更しなければならない状況を効果的に低減することができる。なお、この送信処理においては、ＩＴＵ−Ｔ勧告Ｔ．３０において、ＤＣＳを送信した以降の伝送手順に従って行うことができる。
【００４９】
一方、検索部４ｃにより処理能力情報が含まれたレコードが検出されなかった場合には、機能制御部４ｄが、ＦＡＸ通信機能部１２によりＦＡＸ番号による発呼を行わせ（ステップＳ３９）、当該ＦＡＸ装置に処理能力情報を要求する信号（処理能力要求信号）を出力させる（ステップＳ４０）。そして、機能制御部４ｄは、処理能力要求信号に対するＦＡＸ装置からの返信である処理能力情報を受信し（ステップＳ４１）、当該処理能力情報を他装置情報テーブル２２のＦＡＸ番号に対応するレコードの処理能力情報フィールド２５に登録する（ステップＳ４２）。
次いで、機能制御部４ｄが、当該受信した処理能力情報と自己の処理能力とに基づいて、当該ＦＡＸ装置との間での通信における使用能力情報を決定し（ステップＳ４３）、ＦＡＸ通信機能部１２により当該使用能力情報を指定する能力指定信号を送信する（ステップＳ４４）。なお、能力指定信号としては、例えば、ＩＴＵ−Ｔ勧告Ｔ．３０におけるＤＣＳを用いることができる。
【００５０】
次いで、機能制御部４ｄが、決定した使用能力情報に基づいたファクシミリデータがＲＡＭ６に格納されている場合には取得し、格納されていない場合には、データ生成部４ｂにより使用能力情報に基づいたファクシミリデータを生成させる（ステップＳ４５）。
その後、機能制御部４ｄが、ＦＡＸ通信機能部１２により、取得した、又は、生成させたファクシミリデータの送信処理を行う（ステップＳ４６）。なお、この送信処理においては、ＩＴＵ−Ｔ勧告Ｔ．３０において、ＤＣＳを送信した以降の伝送手順に従って行うことができる。
【００５１】
そして、ファクシミリデータの送信処理（ステップＳ３８、ステップＳ４６）を終えると、機能制御部４ｄがＦＡＸ通信機能部１２により回線の切断を実行させ（ステップＳ４７）、当該通信において使用した通信設定を他装置情報テーブル２２の使用通信設定フィールド２６に格納する（ステップＳ４８）。
次いで、機能制御部４ｄが全送信先にファクシミリデータを送信したか否かを判定し（ステップＳ４９）、全送信先に送信していない場合には、上記ステップＳ３１からの処理を再び実行する一方、全送信先に送信した場合には、処理を終了する。
【００５２】
図６は、本発明の第１実施形態に係るＦＡＸ装置の受信時処理のフローチャートである。
ＦＡＸ装置２において、機能制御部４ｄがＦＡＸ通信機能部１２に対して着呼があったか否かを判定し（ステップＳ５１）、着呼がない場合には、当該ステップＳ５１を繰り返し実行する。一方、着呼があった場合には、機能制御部４ｄがＦＡＸ通信機能部１２により、着呼に対する応答信号を送信元のＦＡＸ装置２に送信させる（ステップＳ５２）。これによって、当該ＦＡＸ装置２と発呼したＦＡＸ装置２との間の回線が接続される。
【００５３】
次いで、機能制御部４ｄがＦＡＸ通信機能部１２により、通信先のＦＡＸ装置２から能力要求信号又は能力指定信号のいずれを受信したかを判定し（ステップＳ５３）、能力指定信号を受信した場合には、当該能力指定信号から使用能力情報を取得する（ステップＳ５４）。
一方、能力要求信号を受信した場合には、機能制御部４ｄがＦＡＸ通信機能部１２により、自己の処理能力情報を通信先のＦＡＸ装置２に送信させ（ステップＳ５５）、当該ＦＡＸ装置２から以降に送信される能力指定信号を受信させ、当該能力指定信号から使用する処理能力情報を取得する（ステップＳ５６）。
【００５４】
次いで、機能制御部４ｄが、取得した使用能力情報による通信のための準備を行い（ステップＳ５７）、機能制御部４ｄがＦＡＸ通信機能部１２により、通信先のＦＡＸ装置２から送信されるファクシミリデータを受信させ（ステップＳ５８）、機能制御部４ｄが受信したファクシミリデータをＲＡＭ６に記憶する。そして、通信先のＦＡＸ装置２から切断の要求があった場合には、回線の切断を行う（ステップＳ５９）。
この後、機能制御部４ｄがＲＡＭ６に記憶されたファクシミリデータを解釈して、プリンタ機能部１１により用紙へ画像を形成させる（ステップＳ６０）。
このようにして、ＦＡＸ装置２において、送信元のＦＡＸ装置２により読み取られた原稿に対応する画像が用紙に形成されて出力されることになる。
【００５５】
次に、本発明の第２実施形態に係るＦＡＸ装置について説明する。なお、第２実施形態に係るＦＡＸ装置については、図２に示す第１実施形態におけるＦＡＸ装置の符号を用いて、異なる部分について説明することとする。
第２実施形態のＦＡＸ装置２は、第１実施形態のＦＡＸ装置の機能制御部４ｄに新たな機能を備えるようにしたものである。
第２実施形態に係る機能制御部４ｄは、ユーザによって登録指示されたＦＡＸ装置における処理能力情報を外部から収集し、収集した処理能力情報をＥＥＰＲＯＭ７の他装置情報テーブル２２に登録する。本実施形態では、機能制御部４ｄは、ユーザによって登録されたＦＡＸ番号により対応するＦＡＸ装置２から処理能力情報を受信して、ＥＥＰＲＯＭ７の他装置情報テーブル２２に登録する。なお、この機能制御部４ｄが事前能力情報収集手段及び事前能力情報登録手段に相当する。
【００５６】
図７は、本発明の第２実施形態に係るＦＡＸ装置の登録時処理のフローチャートである。なお、図４に示す第１実施形態に係る登録時処理と同一処理については、同一の符号を付し、説明を省略することとする。
受付部４ａが、入力装置１４によるユーザの操作によって、登録を確定させる指示を受け付けたか否かを判定し（ステップＳ１７）、確定指示を受け付けた場合（ステップＳ１７のＹＥＳ）には、機能制御部４ｄが、ＦＡＸ通信機能部１２により、ＲＡＭ６に記憶されているＦＡＸ番号による発呼をして、対応するＦＡＸ装置２における処理能力情報を要求し、当該ＦＡＸ装置２から処理能力情報を取得する（ステップＳ６１）。次いで、機能制御部４ｄは、受信した処理能力情報と、ＦＡＸ番号と対応付けたレコードとしてＥＥＰＲＯＭ７の他装置情報テーブル２２に登録して処理を終了する（ステップＳ６２）。
これによって、ユーザが自分自身で処理能力情報を入力することなく設定することができる。また、このように、ファクシミリデータを送信する時点以外において処理能力情報を取得して設定することができるので、実際にファクシミリデータを送信する際に、送信先のＦＡＸ装置２から処理能力情報を取得する必要がなく、送信時点における通信時間を短縮することができる。
【００５７】
以上、本発明を実施形態に基づいて説明したが、本発明は上述した実施の形態に限られず、他の様々な態様に適用可能である。
例えば、上記実施形態では、公衆回線網３を介して送信するＦＡＸ装置２を例に説明したが、本発明はこれに限られず、例えば、ＬＡＮ（Local Area Network）、インターネット等のネットワークを介して画像データを送信するいわゆるＩＰ（Internet Protocol）ファックス、インターネットファックス等を実行可能なＦＡＸ装置にも適用することができる。なお、この場合には、ＦＡＸ番号に代えて、ＩＰアドレスや、メールアドレス等の宛先情報により各装置を識別することができる。
【００５８】
また、上記実施形態では、画像形成装置の一例としてＦＡＸ装置を例に説明していたが、本発明はこれに限られず、例えば、画像形成装置の一例としてのプリンタ装置へ同報する場合にも本発明を適用することができる。すなわち、同報送信先となる各プリンタ装置に、プリンタ装置の処理能力情報に基づいて画像形成可能な態様のデータを送信するようにすることができる。
【００５９】
また、上記実施形態では、他の画像形成装置の処理能力情報として、他の画像形成装置の処理能力情報を送信処理装置の能力にかかわらずそのまま格納するようにしていたが、本実施形態ではこれに限られず、例えば、他の画像形成装置の処理能力情報として、送信処理装置の処理能力の範囲内にある、すなわち、当該送信処理装置との通信で使用可能な処理能力情報のみを格納するようにしてもよい。このようにしておくと、ファクシミリデータを送信する際において、自己の能力範囲内である能力情報を決定する必要がなく、処理を迅速に行うことができる。
【００６０】
また、上記第２実施形態では、ＦＡＸ装置２に、他のＦＡＸ装置のＦＡＸ番号を登録する際に、他のＦＡＸ装置から処理能力情報を収集して登録するようにしていたが、本発明はこれに限られず、例えば、登録する際に、機能制御部４ｄにより、登録した他のＦＡＸ装置に対して自己の処理能力情報を通知して他のＦＡＸ装置において処理能力情報を登録させるようにしてもよい。このようにすると、新たに登録したＦＡＸ装置に自己の処理能力情報を通知して登録させることができ、例えば、新たなＦＡＸ装置を利用する場合において、適切に他のＦＡＸ装置に自己の処理能力情報を通知することができる。
【００６１】
また、上記第２実施形態では、他の画像形成装置に処理能力情報を直接要求するようにしていたが、本発明はこれに限られず、例えば、ネットワーク上のサーバに画像形成装置の処理能力情報を管理させておき、当該サーバに対して処理能力情報を要求するようにしてもよい。この場合には、サーバは、各装置の宛先情報と、処理能力情報を対応付けて管理し、送信処理装置側から宛先情報を使って処理能力情報を取得するようにしてもよく、サーバに画像形成装置の製品名と処理能力情報とを対応付けておき、送信処理装置側から他の画像形成装置の製品名を使って処理能力情報を取得するようにしてもよい。
【図面の簡単な説明】
【００６２】
【図１】本発明の第１実施形態に係る送信システムの構成を説明する図である。
【図２】本発明の第１実施形態に係るＦＡＸ装置の構成を説明する図である。
【図３】本発明の第１実施形態に係るＦＡＸ装置に記憶された自己処理能力情報テーブルと、他装置情報テーブルとを説明する図である。
【図４】本発明の第１実施形態に係るＦＡＸ装置の登録時処理のフローチャートである。
【図５】本発明の第１実施形態に係るＦＡＸ装置の送信時処理のフローチャートである。
【図６】本発明の第１実施形態に係るＦＡＸ装置の受信時処理のフローチャートである。
【図７】本発明の第２実施形態に係るＦＡＸ装置の登録時処理のフローチャートである。
【符号の説明】
【００６３】
１  送信システム、２Ａ、２Ｂ、２Ｃ、２Ｄ  ＦＡＸ装置、３  公衆回線網、４  ＣＰＵ、４ａ  受付部、４ｂ  データ生成部、４ｃ  検索部、４ｄ  機能制御部、５  ＲＯＭ、６  ＲＡＭ、７  ＥＥＰＲＯＭ、８  入力Ｉ／Ｆ部、９  表示処理部、１０  スキャナ機能部、１１  プリンタ機能部、１２  ＦＡＸ通信機能部、１３  バス、１４  入力装置、１５  ＬＣＤ。
【図１】
2007195083.tif 000003
【図２】
2007195083.tif 000004
【図３】
2007195083.tif 000005
【図４】
2007195083.tif 000006
【図５】
2007195083.tif 000007
【図６】
2007195083.tif 000008
【図７】
2007195083.tif 000009